(57)【要約】【課題】送信装置から受信装置に対する伝送効率の低下が生じることを防ぐことができる通信システム、送信装置及び通信方法を提供する。【解決手段】受信装置と通信する送信装置であって、リソースエレメントに配置するデータ信号の数が異なる複数のデータ信号配置パターンのいずれかを選択するデータ信号配置パターン選択部と、データ信号配置パターン選択部が選択したデータ信号配置パターンに基づいてリソースエレメントに配置する参照信号の送信電力を増加させる参照信号送信電力増加部と、データ信号配置パターン選択部が選択したデータ信号配置パターンに基づいてリソースエレメントに配置されるデータ信号と、参照信号送信電力増加部が送信電力を増加させたリソースエレメントに配置される参照信号とを受信装置に送信する信号送信部とを備える。【選択図】図２
2009111504.tif 000002
【特許請求の範囲】
【請求項１】
送信装置と受信装置とを備える通信システムであって、
前記送信装置は、
リソースエレメントに配置するデータ信号の数が異なる複数のデータ信号配置パターンのいずれかを選択するデータ信号配置パターン選択部と、
前記データ信号配置パターン選択部が選択したデータ信号配置パターンに基づいてリソースエレメントに配置する参照信号の送信電力を増加させる参照信号送信電力増加部と、
前記データ信号配置パターン選択部が選択したデータ信号配置パターンに基づいてリソースエレメントに配置されるデータ信号と、前記参照信号送信電力増加部が送信電力を増加させたリソースエレメントに配置される参照信号とを前記受信装置に送信する信号送信部とを備え、
前記受信装置は、
前記信号送信部が送信した信号を受信する信号受信部と、
前記信号受信部が受信した信号に基づいて前記データ信号配置パターン選択部が選択したデータ信号配置パターンを特定するデータ信号配置パターン特定部と、
前記データ信号配置パターン特定部が特定したデータ信号配置パターンに基づいてデータ信号を取得するデータ信号取得部とを備えることを特徴とする通信システム。
【請求項２】
前記データ信号配置パターン特定部は、前記信号受信部が受信した信号に含まれるリソースエレメントの信号強度に基づいて前記データ信号配置パターン選択部が選択したデータ信号配置パターンを特定することを特徴とする請求項１に記載の通信システム。
【請求項３】
前記信号送信部は、前記参照信号と前記データ信号とともに、前記データ信号配置パターン選択部が選択したデータ信号配置パターンの識別情報を前記受信装置に送信し、
前記データ信号配置パターン特定部は、前記信号受信部が受信した信号に含まれる識別情報に基づいて前記データ信号配置パターン選択部が選択したデータ信号配置パターンを特定することを特徴とする請求項１に記載の通信システム。
【請求項４】
前記信号送信部は、前記データ信号配置パターン選択部が選択するデータ信号配置パターンの変化が早くなるに従って、前記受信装置への前記識別情報の送信周期を短くすることを特徴とする請求項３に記載の通信システム。
【請求項５】
前記参照信号送信電力増加部は、前記データ信号配置パターン選択部が選択したデータ信号配置パターンに含まれるリソースエレメントのうちデータ信号を配置しないリソースエレメントの分の電力を、前記参照信号の送信電力として増加させることを特徴とする請求項１に記載の通信システム。
【請求項６】
受信装置と通信する送信装置であって、
リソースエレメントに配置するデータ信号の数が異なる複数のデータ信号配置パターンのいずれかを選択するデータ信号配置パターン選択部と、
前記データ信号配置パターン選択部が選択したデータ信号配置パターンに基づいてリソースエレメントに配置する参照信号の送信電力を増加させる参照信号送信電力増加部と、
前記データ信号配置パターン選択部が選択したデータ信号配置パターンに基づいてリソースエレメントに配置されるデータ信号と、前記参照信号送信電力増加部が送信電力を増加させたリソースエレメントに配置される参照信号とを前記受信装置に送信する信号送信部と、
を備えることを特徴とする送信装置。
【請求項７】
送信装置と受信装置とを用いた通信方法であって、
前記送信装置は、
リソースエレメントに配置するデータ信号の数が異なる複数のデータ信号配置パターンのいずれかを選択するデータ信号配置パターン選択過程と、
前記データ信号配置パターン選択過程で選択したデータ信号配置パターンに基づいてリソースエレメントに配置する参照信号の送信電力を増加させる参照信号送信電力増加過程と、
前記データ信号配置パターン選択過程で選択したデータ信号配置パターンに基づいてリソースエレメントに配置されるデータ信号と、前記参照信号送信電力増加過程で送信電力を増加させたリソースエレメントに配置される参照信号とを前記受信装置に送信する信号送信過程とを実行し、
前記受信装置は、
前記信号送信過程で送信した信号を受信する信号受信過程と、
前記信号受信過程で受信した信号に基づいて前記データ信号配置パターン選択過程で選択したデータ信号配置パターンを特定するデータ信号配置パターン特定過程と、
前記データ信号配置パターン特定過程で特定したデータ信号配置パターンに基づいてデータ信号を取得するデータ信号取得過程とを実行することを特徴とする通信方法。
【発明の詳細な説明】
【技術分野】
【０００１】
本発明は、通信システム、送信装置及び通信方法に関する。
【背景技術】
【０００２】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交波周波数分割多重）信号を用いた通信では、ＯＦＤＭシンボル内に参照信号が含まれており、チャネル推定などに多く用いられてきた。この参照信号はその電力が大きいほどチャネル推定の精度が改善されることが確認されている。
【０００３】
一方、参照信号の電力のみを増加させた場合、ＯＦＤＭシンボルあたりの平均電力も増加してしまうため、後段の電力増幅などに影響する。よって、参照信号の電力を増加させる場合、通常同一のＯＦＤＭシンボル内のデータ信号の平均電力を低下させ、ＯＦＤＭシンボルの平均電力を一定に保つことが行われており、この手法として現在多くのものが提案されている。
【０００４】
はじめに、非特許文献１では、参照信号の電力を増加させるため、データ信号の電力を低下させる提案がなされている。この文献ではリソースブロック（ＲＢ：Ｒｅｓｏｕｒｃｅ  Ｂｌｏｃｋ）単位で処理がなされており、あるＯＦＤＭシンボル内に含まれる参照信号の電力の増分を同一のＯＦＤＭシンボル内のデータ信号の電力から均等に供給することとしている。この手法は、ビット誤り率（ＢＥＲ：Ｂｉｔ  Ｅｒｒｏｒ  Ｒａｔｅ）劣化が懸念されるが、伝送効率にはあまり影響しないという特徴を有している。この手法は電力の調整をおこなうことから、スケーリングと呼称される。
【０００５】
また、非特許文献２から非特許文献４までは、参照信号の電力を増加させるため、データ信号の数を減少させる提案がなされている。この文献でもリソースブロック（ＲＢ）単位で処理がなされており、あるＯＦＤＭシンボル内に含まれる参照信号の電力の増分を同一のＯＦＤＭシンボル内のデータ信号の数の減少分から供給することとしている。この手法は、伝送効率低下が懸念されるが、ビット誤り率にはあまり影響しないという特徴を有しており、さらにセル干渉などを抑圧する工夫も可能であるという特徴も有している。この手法は信号を間引くことから、パンクチャリングと呼称される。
【非特許文献１】３ＧＰＰ  ＴＳＧ  ＲＡＮ１  ＃４６ｂｉｓ、Ｓｅｏｕｌ、Ｋｏｒｅａ、Ｏｃｔｏｂｅｒ  ９−１３、２００６、Ｒ１−０６２６０８、“Ｉｓｓｕｅｓ  ｏｆ  ｎｏｎ−ｏｖｅｒｌａｐｐｉｎｇ  ＤＬ  ｒｅｆｅｒｅｎｃｅ  ｓｉｇｎａｌ  ｗｉｔｈ  ｐｏｗｅｒ  ｂｏｏｓｔｉｎｇ”
【非特許文献２】３ＧＰＰ  ＴＳＧ  ＲＡＮ１  ＃４７ｂｉｓ、Ｓｏｒｒｅｎｔｏ、Ｉｔａｌｙ、  Ｊａｎｕａｒｙ  １５−１９、２００７、Ｒ１−０７０２５０、“Ｄｏｗｎｌｉｎｋ  ｔｒａｎｓｍｉｔ  ｐｏｗｅｒ  ｂｏｏｓｔｉｎｇ”
【非特許文献３】３ＧＰＰ  ＴＳＧ  ＲＡＮ１  ＃４７ｂｉｓ、Ｓｏｒｒｅｎｔｏ、Ｉｔａｌｙ、Ｊａｎｕａｒｙ  １５−１９、２００７、Ｒ１−０７００８８、“Ｐｏｗｅｒ  Ｂｏｏｓｔｉｎｇ  ｏｆ  Ｒｅｆｅｒｅｎｃｅ  Ｓｉｇｎａｌ  ｉｎ  Ｅ−ＵＴＲＡ  Ｄｏｗｎｌｉｎｋ”
【非特許文献４】３ＧＰＰ  ＴＳＧ  ＲＡＮ１  ＃５０、Ａｔｈｅｎｓ、Ｇｒｅｅｃｅ、Ａｕｇｕｓｔ  ２０−２４、２００７、Ｒ１−０７００８８、“Ｐｏｗｅｒ  Ｓｃａｌｉｎｇ  ａｎｄ  ＤＬ  ＲＳ  ｂｏｏｓｔｉｎｇ  ｉｎ  ａ  Ｍｕｌｔｉ−ａｎｔｅｎｎａ  Ｓｙｓｔｅｍ”
【発明の開示】
【発明が解決しようとする課題】
【０００６】
しかしながら、従来のパンクチャリングの手法では、送信装置から受信装置に対する伝送効率の低下が生じるという問題があった。
【０００７】
本発明は、上記事情に鑑みてなされたものであり、その目的は、送信装置から受信装置に対する伝送効率の低下が生じることを防ぐことができる通信システム、送信装置及び通信方法を提供することにある。
【課題を解決するための手段】
【０００８】
（１）  本発明は、上記課題を解決するためになされたもので、本発明の一態様による通信システムは、送信装置と受信装置とを備える通信システムであって、前記送信装置は、リソースエレメントに配置するデータ信号の数が異なる複数のデータ信号配置パターンのいずれかを選択するデータ信号配置パターン選択部と、前記データ信号配置パターン選択部が選択したデータ信号配置パターンに基づいてリソースエレメントに配置する参照信号の送信電力を増加させる参照信号送信電力増加部と、前記データ信号配置パターン選択部が選択したデータ信号配置パターンに基づいてリソースエレメントに配置されるデータ信号と、前記参照信号送信電力増加部が送信電力を増加させたリソースエレメントに配置される参照信号とを前記受信装置に送信する信号送信部とを備え、前記受信装置は、前記信号送信部が送信した信号を受信する信号受信部と、前記信号受信部が受信した信号に基づいて前記データ信号配置パターン選択部が選択したデータ信号配置パターンを特定するデータ信号配置パターン特定部と、前記データ信号配置パターン特定部が特定したデータ信号配置パターンに基づいてデータ信号を取得するデータ信号取得部とを備える。
【０００９】
（２）  また、本発明の一態様による通信システムの前記データ信号配置パターン特定部は、前記信号受信部が受信した信号に含まれるリソースエレメントの信号強度に基づいて前記データ信号配置パターン選択部が選択したデータ信号配置パターンを特定する。
【００１０】
（３）  また、本発明の一態様による通信システムの前記信号送信部は、前記参照信号と前記データ信号とともに、前記データ信号配置パターン選択部が選択したデータ信号配置パターンの識別情報を前記受信装置に送信し、前記データ信号配置パターン特定部は、前記信号受信部が受信した信号に含まれる識別情報に基づいて前記データ信号配置パターン選択部が選択したデータ信号配置パターンを特定する。
【００１１】
（４）  また、本発明の一態様による通信システムの前記信号送信部は、前記データ信号配置パターン選択部が選択するデータ信号配置パターンの変化が早くなるに従って、前記受信装置への前記識別情報の送信周期を短くする。
【００１２】
（５）  また、本発明の一態様による通信システムの前記参照信号送信電力増加部は、前記データ信号配置パターン選択部が選択したデータ信号配置パターンに含まれるリソースエレメントのうちデータ信号を配置しないリソースエレメントの分の電力を、前記参照信号の送信電力として増加させる。
【００１３】
（６）  また、本発明の一態様による送信装置は、受信装置と通信する送信装置であって、リソースエレメントに配置するデータ信号の数が異なる複数のデータ信号配置パターンのいずれかを選択するデータ信号配置パターン選択部と、前記データ信号配置パターン選択部が選択したデータ信号配置パターンに基づいてリソースエレメントに配置する参照信号の送信電力を増加させる参照信号送信電力増加部と、前記データ信号配置パターン選択部が選択したデータ信号配置パターンに基づいてリソースエレメントに配置されるデータ信号と、前記参照信号送信電力増加部が送信電力を増加させたリソースエレメントに配置される参照信号とを前記受信装置に送信する信号送信部とを備える。
【００１４】
（７）  また、本発明の一態様による通信方法は、送信装置と受信装置とを用いた通信方法であって、前記送信装置は、リソースエレメントに配置するデータ信号の数が異なる複数のデータ信号配置パターンのいずれかを選択するデータ信号配置パターン選択過程と、前記データ信号配置パターン選択過程で選択したデータ信号配置パターンに基づいてリソースエレメントに配置する参照信号の送信電力を増加させる参照信号送信電力増加過程と、前記データ信号配置パターン選択過程で選択したデータ信号配置パターンに基づいてリソースエレメントに配置されるデータ信号と、前記参照信号送信電力増加過程で送信電力を増加させたリソースエレメントに配置される参照信号とを前記受信装置に送信する信号送信過程とを実行し、前記受信装置は、前記信号送信過程で送信した信号を受信する信号受信過程と、前記信号受信過程で受信した信号に基づいて前記データ信号配置パターン選択過程で選択したデータ信号配置パターンを特定するデータ信号配置パターン特定過程と、前記データ信号配置パターン特定過程で特定したデータ信号配置パターンに基づいてデータ信号を取得するデータ信号取得過程とを実行する。
【発明の効果】
【００１５】
本発明の通信システム、送信装置及び通信方法では、送信装置から受信装置に対する伝送効率の低下が生じることを防ぐことができる。
【発明を実施するための最良の形態】
【００１６】
以下、図面を用いて本発明の各実施形態を説明する。以下の実施形態では、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）による通信について主としてパンクチャリングに関する説明を行う場合について説明する。
【００１７】
（第１の実施形態）
第１の実施形態では、通信システムが送信装置１００ａと受信装置２００ａとを備え、送信装置１００ａが備える信号処理装置の数を２とし、受信装置２００ａがパンクチャリングパターン（データ信号配置パターンとも称する）を推定する機能を具備する場合について説明する。
【００１８】
図１は、本発明の第１の実施形態による通信システムの処理を示すシーケンス図である。送信装置は未使用のリソースブロック（ＲＢ）の個数、参照信号の電力とデータ信号の電力との比を示す信号強度比（ＰＢ：Ｐｏｗｅｒ  Ｂｏｏｓｔｉｎｇ  ｖａｌｕｅ）、パンクチャリングする際に用いられるパンクチャリングパターンを既知情報として記憶している（ステップＳ１１）。
【００１９】
また、受信装置２００ａは送信装置１００ａと同一のパンクチャリングパターンを既知情報として記憶している（ステップＳ１４）。
送信装置１００ａでは、始めに、既知情報である信号強度比（ＰＢ）に基づいて、使用するパンクチャリングパターンの選定を行う（ステップＳ１２）。次に、選定したパンクチャリングパターンを用いてリソースブロック（ＲＢ）をパンクチャリングし（間引き）、さらに、信号強度比（ＰＢ）に基づいて参照信号の電力を増加する（ステップＳ１２）。送信装置１００ａではこれらの処理をおこなった後、ＯＦＤＭシンボルおよび信号強度比（ＰＢ）を受信装置２００ａに送信する（ステップＳ１３）。
【００２０】
受信装置２００ａでは、始めに、送信されたＯＦＤＭシンボルおよび信号強度比（ＰＢ）を送信装置１００ａから受信し、ＯＦＤＭシンボルを基にリソースブロック（ＲＢ）に適用したパンクチャリングパターンを推定する。
最後に、受信装置２００ａは、情報を統合することにより送信装置１００ａから送信されたデータ信号を再生する。
ただし、リソースブロック（ＲＢ）の特徴および信号強度比（ＰＢ）の変化が頻繁である場合、あるいはあまり変化がない場合とを考慮し、信号強度比（ＰＢ）の送信周期については、頻繁に変化する場合には短くし、あまり変化しない場合には長くしても良い。
【００２１】
図２は、本発明の第１の実施形態による送信装置１００ａの構成を示す概略ブロック図である。この送信装置１００ａは、ＳＦＢＣ（Ｓｐａｃｅ  Ｆｒｅｑｕｅｎｃｙ  Ｂｌｏｃｋ  Ｃｏｄｅ）符号化部１０ａ、信号処理装置２０ａ−１、２０ａ−２を備えている。
また、信号処理装置２０ａ−１は、マッピング部２１ａ（データ信号配置パターン選択部、参照信号送信電力増加部とも称する）、ｉＦＦＴ（ｉｎｖｅｒｓｅ  Ｆａｓｔ  Ｆｏｕｒｉｅｒ  Ｔｒａｎｓｆｏｒｍ：逆高速フーリエ変換）部２２ａ、ＣＰ（Ｃｙｃｌｉｃ  Ｐｒｅｆｉｘ：サイクリックプレフィックス）挿入部２３ａ、Ｄ／Ａ（Ｄｉｇｉｔａｌ／Ａｎａｌｏｇ：デジタル／アナログ）変換部２４ａ、ＲＦ（Ｒａｄｉｏ  Ｆｒｅｑｕｅｎｃｙ：無線周波数）部２５ａ（信号送信部とも称する）、送信アンテナ２６ａを備えている。
なお、信号処理装置２０ａ−２の構成は、信号処理装置２０ａ−１の構成と同様であるため、その説明を省略する。
【００２２】
図２では、送信装置１００ａに変調信号が入力された後の処理を示している。この変調信号としては１６ＱＡＭ（１６  Ｑｕａｄｒａｔｕｒｅ  Ａｍｐｌｉｔｕｄｅ  Ｍｏｄｕｌａｔｉｏｎ：１６値直交振幅変調）などが用いられる。変調信号は、ＳＦＢＣ符号化部１０ａに入力され、ＳＦＢＣ符号化の処理がなされ、マッピング部２１ａに出力される。ただし、ここで示した変調信号および符号化は例として挙げられているもので、これに限定されるものではない。マッピング部２１ａではＳＦＢＣ符号化された信号と参照信号とを多重し、リソースブロック（ＲＢ）を構成する。さらに、パンクチャリングパターンの選定、パンクチャリングおよび参照信号の電力を増加させることもなされる。
マッピング後のＯＦＤＭシンボルは、ｉＦＦＴ部２２ａで逆高速フーリエ変換の処理がなされ、ＣＰ挿入部２３ａでサイクリックプレフィクス（ＣＰ）が挿入され、Ｄ／Ａ変換部２４ａでデジタル信号からアナログ信号に変換され、ＲＦ部２５ａで送信周波数に変換され、送信アンテナ２６ａを介して、受信装置２００ａに送信される。
【００２３】
図３は、本発明の第１の実施形態によるＳＦＢＣ符号化部１０ａの構成を示す概略ブロック図である。このＳＦＢＣ符号化部１０ａは、Ｓ／Ｐ（Ｓｅｒｉａｌ／Ｐａｒａｌｌｅｌ：シリアル／パラレル）変換部１１ａ、符号化部１２ａを備えている。
Ｓ／Ｐ変換部１１ａは、信号路１にＳ１、Ｓ２の順で入力された信号を、信号路２にＳ１、信号路３にＳ２と分ける。次に、符号化部１２ａは信号路４にＳ１および−Ｓ２［＊］、信号路５にＳ２およびＳ１［＊］を出力する。ここで、信号路４の信号を信号処理装置２０ａ−１の信号とし、信号路５の信号を信号処理装置２０ａ−２の信号とする。ただし、［＊］は共役複素数を示す。これらの信号が信号処理装置のマッピング部２１ａに出力される。
【００２４】
次に、マッピング部２１ａについて説明する。マッピング部２１ａでは、信号を送信フレームにマッピングする処理を行っている。
【００２５】
図４は、本発明の第１の実施形態で使用する送信フレームの構成の一例を示す図である。図４では、横軸に時間軸をとっており、縦軸に周波数軸をとっている。
送信フレームは複数のリソースブロック（ＲＢ）で構成されており、リソースブロック（ＲＢ）は７ＯＦＤＭシンボル、１２サブキャリアで構成される。これらのリソースブロック（ＲＢ）に含まれるリソースエレメント（ＲＥ：Ｒｅｓｏｕｒｃｅ  Ｅｌｅｍｅｎｔ）に対し、パンクチャリングパターンに従って、参照信号やデータ信号の配置が行われる。
【００２６】
図５（ａ）〜図５（ｅ）は、本発明の第１の実施形態で使用するパンクチャリングパターンの一例を示す図である。図５（ａ）〜図５（ｅ）では、横軸に時間軸をとっており、縦軸に周波数軸をとっている。
図５（ａ）はパンクチャリングパターン０を示しており、図５（ｂ）はパンクチャリングパターン１を示しており、図５（ｃ）はパンクチャリングパターン２を示しており、図５（ｄ）はパンクチャリングパターン３を示しており、図５（ｅ）はパンクチャリングパターン４を示している。
これらのパンクチャリングパターン０〜４は、マッピング部２１ａに記憶されている。
【００２７】
図５（ａ）〜図５（ｅ）では、参照信号（Ｒ１、Ｒ２）が第一ＯＦＤＭシンボルおよび第五ＯＦＤＭシンボルに各々４つずつ配置されている。ここで参照信号Ｒ１は信号処理装置２０ａ−１のサブキャリアにのみ配置され、参照信号Ｒ２は信号処理装置２０ａ−２のサブキャリアにのみに配置される参照信号を意味している。
また、図５（ａ）〜図５（ｅ）におけるＤ１２とは、送信処理装置２０ａ−１および送信処理装置２０ａ−２のサブキャリアにデータ信号が配置されることを意味する。
また、図５（ａ）〜図５（ｅ）において、黒く塗りつぶされたリソースエレメント（ＲＥ）には、信号がマッピングされないことを意味する。
【００２８】
図６は、本発明の第１の実施形態によるパンクチャリングパターンの選定方法について説明するための図である。パンクチャリングパターンの選定は、リソースブロック（ＲＢ）に適用するパンクチャリングパターンをあらかじめ定義した複数のパンクチャリングパターンから信号強度比（ＰＢ）に基づいて行われる。ここでは信号強度比（ＰＢ）に相当する電力に参照信号の電力を増加した場合、参照信号の電力の増分の総量が未使用のリソースブロック（ＲＢ）のデータ信号の総電力に達しない場合、パンクチャリング処理はおこなわず、
データ信号の総電力に相当もしくは上回る場合、有効なリソースブロック（ＲＢ）のパンクチャリングパターンの選定を、以下の式（１）に示すとおりとする。
【００２９】
【数１】
2009111504.tif 000003
【００３０】
有効なリソースブロック（ＲＢ）に対し、パンクチャリングパターンＰｐをＰｎ個、およびパンクチャリングパターン（Ｐｐ−１）を残りに適用する。また、未使用のリソースブロック（ＲＢ）に対してはパンクチャリングパターン４を適用する。
ただし、Ｎｐを有効なリソースブロック（ＲＢ）の個数とし、Ｎｎを未使用のリソースブロック（ＲＢ）の個数とし、Ｇｐを信号強度比（ＰＢ）とする。
【００３１】
図７は、本発明の第１の実施形態による受信装置２００ａの構成を示す概略ブロック図である。この受信装置２００ａは、信号処理装置３０ａ、ＳＦＢＣ復号化部４０ａを備えている。
また、信号処理装置３０ａは、受信アンテナ３１ａ、ＲＦ部３２ａ（信号受信部とも称する）、Ａ／Ｄ（Ａｎａｌｏｇ／Ｄｉｇｉｔａｌ：アナログ／デジタル）変換部３３ａ、ＣＰ除去部３４ａ、ＦＦＴ（Ｆａｓｔ  Ｆｏｕｒｉｅｒ  Ｔｒａｎｓｆｏｒｍ：高速フーリエ変換）部３５ａ、等化部３６ａ、デマッピング部３７ａ（データ信号配置パターン特定部、データ信号取得部とも称する）を備えている。
【００３２】
図７は、受信装置２００ａにおける送信信号の受信後の処理を示している。この受信信号は、受信アンテナ３１ａを介して受信され、ＲＦ部３２ａでベースバンド信号に変換され、Ａ／Ｄ変換部３３ａでアナログ信号からデジタル信号に変換され、ＣＰ除去部３４ａでサイクリックプレフィックス（ＣＰ）が除去され、ＦＦＴ部３５ａでフーリエ変換の処理がなされ、等化部３６ａで等価処理がなされ、デマッピング部３７ａに入力される。
デマッピング部３７ａでは、参照信号と、データ信号とを分離する。その後、ＳＦＢＣ復号部４０ａへ出力される。ＳＦＢＣ復号部４０ａでは、信号はＳＦＢＣ復号化され、変調信号として外部に出力される。
【００３３】
次に、等価部３６ａの等価処理について説明する。等化部３６ａでは、リソースブロック（ＲＢ）内に含まれる参照信号および信号強度比（ＰＢ）を用いてチャネル推定を行い、この推定結果を用いて、データ信号を等化する処理が行われる。
【００３４】
次に、デマッピング部３７ａについて説明する。デマッピング部３７ａでははじめに、リソースブロック（ＲＢ）に適用されているパンクチャリングパターンの推定を行う。ここでは、入力されたリソースブロック（ＲＢ）と受信装置２００ａの既知情報であるパンクチャリングパターンとを比較し、最も近いものをそのリソースブロック（ＲＢ）のパンクチャリングパターンとしている。
デマッピング部３７ａは、パンクチャリングパターン０〜４（図５（ａ）〜図５（ｅ））を記憶しており、パンクチャリングされているリソースエレメント（ＲＥ）の信号（図５（ａ）〜図５（ｅ）では黒い塗りつぶしで示されている）が、他のデータ信号（図５（ａ）〜図５（ｅ）ではＤ１２で示されている）と比較して非常に低い値であることを用いることができる。このパンクチャリングパターンを推定した後、データ信号を抽出し、ＳＦＢＣ復号化部４０ａへ出力する。
【００３５】
図８は、本発明の第１の実施形態によるＳＦＢＣ復号化部４０ａの構成を示す概略ブロック図である。このＳＦＢＣ復号化部４０ａは、復号化部４１ａ、Ｐ／Ｓ（Ｐａｒａｌｌｅｌ／Ｓｅｒｉａｌ：パラレル／シリアル）変換部４２ａを備えている。
信号処理装置３０ａの信号を信号路１の信号とする。復号化部４１ａでは信号路１にＳ１＾およびＳ２＾が入力される場合、信号路２にＳ１、信号路３にＳ２を出力する。さらに、Ｐ／Ｓ変換部４２ａは信号路４にＳ１、Ｓ２を順に出力する。
【００３６】
本発明の第１の実施形態では、送信装置１００ａにおいて、リソースエレメント（ＲＥ）に配置するデータ信号の数が異なる複数のパンクチャリングパターン０〜４のいずれかをマッピング部２１ａが選択し、その選択したパンクチャリングパターンに基づいてリソースエレメント（ＲＥ）に配置する参照信号の送信電力をマッピング部２１ａが増加させ、選択したパンクチャリングパターンに基づいてリソースエレメント（ＲＥ）に配置されるデータ信号と、送信電力を増加させたリソースエレメントに配置される参照信号とを受信装置２００ａにＲＦ部２５ａが送信するようにしたので、データ信号の情報量に応じてパンクチャリングパターンを選択することにより、送信装置１００ａから受信装置２００ａに対する伝送効率の低下が生じることを防ぐことができる。
【００３７】
（第２の実施形態）
第２の実施形態では、通信システムが送信装置１００ｂと受信装置２００ｂとを備え、送信装置１００ｂが備える信号処理装置の数を２とし、受信装置２００ｂがパンクチャリングパターンを推定する機能を具備しない場合について説明する。
【００３８】
図９は、本発明の第２の実施形態による通信システムの処理を示すシーケンス図である。送信装置１００ｂは未使用のリソースブロック（ＲＢ）の個数、信号強度比（ＰＢ）およびパンクチャリングする際に用いられるパンクチャリングパターンを既知情報として記憶している（ステップＳ２１）。
また、受信装置２００ｂは、送信装置１００ｂと同一のパンクチャリングパターンを既知情報として記憶している（ステップＳ２４）。
【００３９】
送信装置１００ｂでは、始めに、既知情報である信号強度比（ＰＢ）に基づいて、使用するパンクチャリングパターンの選定を行う（ステップＳ２２）。次に、選定したパンクチャリングパターンを用いてリソースブロック（ＲＢ）をパンクチャリングし、さらに、信号強度比（ＰＢ）に基づいて参照信号の電力を増加する（ステップＳ２２）。
送信装置１００ｂではこれらの処理をおこなった後、ＯＦＤＭシンボル、信号強度比（ＰＢ）およびリソースブロック（ＲＢ）の識別情報であるインデックスと、そのリソースブロック（ＲＢ）に適用したパンクチャリングパターンの識別情報であるインデックスを受信装置２００ｂに送信する（ステップＳ２３）。
【００４０】
受信装置２００ｂは、送信装置１００ｂから送信されたＯＦＤＭシンボル、リソースブロック（ＲＢ）のインデックスと、そのリソースブロック（ＲＢ）に適用したパンクチャリングパターンのインデックスおよび信号強度比（ＰＢ）を受信し、統合することにより、送信装置１００ｂから送信された情報を再生する。受信装置２００ｂは、送信装置１００ｂから送信されたパンクチャリングパターンのインデックスに基づいて、送信装置１００ｂで使用されたパンクチャリングパターンを確定する。
【００４１】
ただし、リソースブロック（ＲＢ）の特徴および信号強度比（ＰＢ）の変化が頻繁である場合、あるいはあまり変化がない場合とを考慮し、信号強度比（ＰＢ）の送信周期については、頻繁に変化する場合には短くし、あまり変化しない場合には長くしても良い。
【００４２】
図１０は、本発明の第２の実施形態による送信装置１００ｂの構成を示す概略ブロック図である。この送信装置１００ｂは、ＳＦＢＣ符号化部１０ｂ、信号処理装置２０ｂ−１、２０ｂ−２を備えている。
また、信号処理装置２０ｂ−１は、マッピング部２１ｂ、ｉＦＦＴ部２２ｂ、ＣＰ挿入部２３ｂ、Ｄ／Ａ変換部２４ｂ、ＲＦ部２５ｂ、送信アンテナ２６ｂを備えている。
なお、信号処理装置２０ｂ−２の構成は、信号処理装置２０ｂ−１の構成と同様であるため、その説明を省略する。
第２の実施形態による送信装置１００ｂが、第１の実施形態による送信装置１００ａと同様の処理を行う部分については、その説明を省略する。
【００４３】
図１１は、本発明の第２の実施形態による受信装置２００ｂの構成を示す概略ブロック図である。この受信装置２００ｂは、信号処理装置３０ｂ、ＳＦＢＣ復号化部４０ｂを備えている。
また、信号処理装置３０ｂは、受信アンテナ３１ｂ、ＲＦ部３２ｂ、Ａ／Ｄ変換部３３ｂ、ＣＰ除去部３４ｂ、ＦＦＴ部３５ｂ、等化部３６ｂ、デマッピング部３７ｂを備えている。
第２の実施形態による受信装置２００ｂが、第１の実施形態による受信装置２００ａと同様の処理を行う部分については、その説明を省略する。
【００４４】
第２の実施形態によるデマッピング部３７ｂでは、等化部３６ｂから出力されたリソースブロック（ＲＢ）および受信されたリソースブロック（ＲＢ）のインデックスおよびそのリソースブロック（ＲＢ）のパンクチャリングパターンのインデックスからそのリソースブロック（ＲＢ）に適用されたパンクチャリングパターンを確定し、これらを統合することでデータ信号を抽出し、ＳＦＢＣ復号化部４０ｂへ出力する。
【００４５】
本発明の第２の実施形態では、送信装置１００ｂにおいて、リソースエレメント（ＲＥ）に配置するデータ信号の数が異なる複数のパンクチャリングパターン０〜４のいずれかをマッピング部２１ｂが選択し、その選択したパンクチャリングパターンに基づいてリソースエレメント（ＲＥ）に配置する参照信号の送信電力をマッピング部２１ｂが増加させ、選択したパンクチャリングパターンに基づいてリソースエレメント（ＲＥ）に配置されるデータ信号と、送信電力を増加させたリソースエレメントに配置される参照信号とを受信装置２００ｂにＲＦ部２５ｂが送信するようにしたので、データ信号の情報量に応じてパンクチャリングパターンを選択することにより、送信装置１００ｂから受信装置２００ｂに対する伝送効率の低下が生じることを防ぐことができる。
【００４６】
（第３の実施形態）
第３の実施形態では、通信システムが送信装置１００ｃと受信装置２００ｃとを備え、送信装置１００ｃが備える信号処理装置の数を４とし、受信装置２００ｃがパンクチャリングパターンを推定する機能を具備する場合について説明する。
第３の実施形態による通信システムの処理は、第１の実施形態による通信システムの処理（図９）と同様であるので、その説明を省略する。
【００４７】
図１２は、本発明の第３の実施形態による送信装置１００ｃの構成を示す概略ブロック図である。この送信装置１００ｃは、ＳＦＢＣ符号化部１０ｃ、信号処理装置２０ｃ−１、２０ｃ−２、２０ｃ−３、２０ｃ−４を備えている。
また、信号処理装置２０ｃ−１は、マッピング部２１ｃ、ｉＦＦＴ部２２ｃ、ＣＰ挿入部２３ｃ、Ｄ／Ａ変換部２４ｃ、ＲＦ部２５ｃ、送信アンテナ２６ｃを備えている。
なお、信号処理装置２０ｃ−２〜２０ｃ−４の構成は、信号処理装置２０ｃ−１の構成と同様であるため、その説明を省略する。
第３の実施形態による送信装置１００ｃが、第１の実施形態による送信装置１００ａと同様の処理を行う部分については、その説明を省略する。
【００４８】
図１３は、本発明の第３の実施形態によるＳＦＢＣ符号化部１０ｃの構成を示す概略ブロック図である。このＳＦＢＣ符号化部１０ｃは、Ｓ／Ｐ変換部１１ｃ、符号化部１２ｃを備えている。
Ｓ／Ｐ変換部１１ｃは、信号路１にＳ１、Ｓ２、Ｓ３、Ｓ４の順で入力された信号を、信号路２にＳ１、信号路３にＳ２、信号路４にＳ３、信号路５にＳ４とに分ける。次に、符号化部１２ｃでは、信号路６にＳ１、−Ｓ３［＊］、信号路７にＳ２、−Ｓ４［＊］、信号路８にＳ３、Ｓ１［＊］、信号路９にＳ４、Ｓ２［＊］を出力する。
ここで、信号路６の信号を信号処理装置２０ｃ−１の信号とし、信号路７の信号を信号処理装置２０ｃ−２、信号路８の信号を信号処理装置２０ｃ−３、信号路９の信号を信号処理装置２０ｃ−４の信号とする。
【００４９】
図１４（ａ）〜図１４（ｅ）は、本発明の第３の実施形態で使用するパンクチャリングパターンの一例を示す図である。図１４（ａ）〜図１４（ｅ）では、横軸に時間軸をとっており、縦軸に周波数軸をとっている。
図１４（ａ）はパンクチャリングパターン０を示しており、図１４（ｂ）はパンクチャリングパターン１を示しており、図１４（ｃ）はパンクチャリングパターン２を示しており、図１４（ｄ）はパンクチャリングパターン３を示しており、図１４（ｅ）はパンクチャリングパターン４を示している。
これらのパンクチャリングパターン０〜４は、マッピング部２１ｃに記憶されている。
【００５０】
図１４（ａ）〜図１４（ｅ）では、参照信号（Ｒ１、Ｒ２、Ｒ３、Ｒ４）が第一ＯＦＤＭシンボル、第二ＯＦＤＭシンボルおよび第五ＯＦＤＭシンボルに各々４つずつ挿入されている。ここで参照信号Ｒ１とは、信号処理装置２０ｃ−１のサブキャリアにのみ配置され、参照信号Ｒ２とは信号処理装置２０ｃ−２のサブキャリアにのみ配置され、参照信号Ｒ３とは送信処理装置２０ｃ−３のサブキャリアにのみ配置され、参照信号Ｒ４とは送信処理装置２０ｃ−４のサブキャリアにのみ配置される参照信号を意味している。
【００５１】
また、図１４（ａ）〜図１４（ｅ）におけるＤ１３とは送信処理装置２０ｃ−１および送信処理装置２０ｃ−３のサブキャリアにのみデータ信号が配置され、Ｄ２４とは送信処理装置２０ｃ−２および送信処理装置２０ｃ−４のサブキャリアにのみデータ信号が配置されることを意味している。
また、図１４（ａ）〜図１４（ｅ）において、黒く塗りつぶされたリソースエレメント（ＲＥ）には、信号がマッピングされないことを意味する。
【００５２】
図１５は、本発明の第３の実施形態によるパンクチャリングパターンの選定方法について説明するための図である。パンクチャリングパターンの選定は、リソースブロック（ＲＢ）に適用するパンクチャリングパターンをあらかじめ定義した複数のパンクチャリングパターンから信号強度比（ＰＢ）に基づいて行われる。ここでは信号強度比（ＰＢ）に相当する電力に参照信号の電力を増加した場合、参照信号の電力の増分の総量が未使用のリソースブロック（ＲＢ）のデータ信号の総電力に達しない場合、パンクチャリング処理はおこなわず、
データ信号の総電力に相当もしくは上回る場合、有効なリソースブロック（ＲＢ）のパンクチャリングパターンの選定を以下の式（２）に示すとおりとする。
【００５３】
【数２】
2009111504.tif 000004
【００５４】
有効なリソースブロック（ＲＢ）に対し、パンクチャリングパターンＰｐをＰｎ個、およびパンクチャリングパターン（Ｐｐ−１）を残りに適用する。また、未使用のリソースブロック（ＲＢ）に対してはパンクチャリングパターン４を適用する。
ただし、Ｎｐを有効なリソースブロック（ＲＢ）の個数とし、Ｎｎを未使用のリソースブロック（ＲＢ）の個数とし、Ｇｐを信号強度比（ＰＢ）とする。
【００５５】
図１６は、本発明の第３の実施形態による受信装置２００ｃの構成を示す概略ブロック図である。この受信装置２００ｃは、信号処理装置３０ｃ、ＳＦＢＣ復号化部４０ｃを備えている。
また、信号処理装置３０ｃは、受信アンテナ３１ｃ、ＲＦ部３２ｃ、Ａ／Ｄ変換部３３ｃ、ＣＰ除去部３４ｃ、ＦＦＴ部３５ｃ、等化部３６ｃ、デマッピング部３７ｃを備えている。
第３の実施形態による受信装置２００ｃが、第１の実施形態による受信装置２００ａと同様の処理を行う部分については、その説明を省略する。
【００５６】
図１７は、本発明の第３の実施形態によるＳＦＢＣ復号化部４０ｃの構成を示す概略ブロック図である。このＳＦＢＣ復号化部４０ｃは、復号化部４１ｃ、Ｐ／Ｓ変換部４２ｃを備えている。
信号処理装置３０ｃの信号を信号路１の信号とする。復号化部４１ｃでは、信号路１にＳ１＾、Ｓ２＾、Ｓ３＾、Ｓ４＾が入力される場合、信号路２にＳ１、信号路３にＳ２、信号路４にＳ３、信号路５にＳ４を出力する。次に、Ｐ／Ｓ変換部４２ｃは信号路６にＳ１、Ｓ２、Ｓ３、Ｓ４を順に出力する。
【００５７】
本発明の第３の実施形態では、送信装置１００ｃにおいて、リソースエレメント（ＲＥ）に配置するデータ信号の数が異なる複数のパンクチャリングパターン０〜４のいずれかをマッピング部２１ｃが選択し、その選択したパンクチャリングパターンに基づいてリソースエレメント（ＲＥ）に配置する参照信号の送信電力をマッピング部２１ｃが増加させ、選択したパンクチャリングパターンに基づいてリソースエレメント（ＲＥ）に配置されるデータ信号と、送信電力を増加させたリソースエレメントに配置される参照信号とを受信装置２００ｃにＲＦ部２５ｃが送信するようにしたので、データ信号の情報量に応じてパンクチャリングパターンを選択することにより、送信装置１００ｃから受信装置２００ｃに対する伝送効率の低下が生じることを防ぐことができる。
【００５８】
（第４の実施形態）
第４の実施形態では、通信システムが送信装置１００ｄと受信装置２００ｄとを備え、送信装置１００ｄが備える信号処理装置の数を４とし、受信装置２００ｄがパンクチャリングパターンを推定する機能を具備しない場合について説明する。
第４の実施形態による通信システムの処理は、第２の実施形態による通信システムの処理（図９）と同様であるので、その説明を省略する。
【００５９】
図１８は、本発明の第４の実施形態による送信装置１００ｄの構成を示す概略ブロック図である。この送信装置１００ｄは、ＳＦＢＣ符号化部１０ｄ、信号処理装置２０ｄ−１、２０ｄ−２、２０ｄ−３、２０ｄ−４を備えている。
また、信号処理装置２０ｄ−１は、マッピング部２１ｄ、ｉＦＦＴ部２２ｄ、ＣＰ挿入部２３ｄ、Ｄ／Ａ変換部２４ｄ、ＲＦ部２５ｄ、送信アンテナ２６ｄを備えている。
なお、信号処理装置２０ｄ−２〜２０ｄ−４の構成は、信号処理装置２０ｄ−１の構成と同様であるため、その説明を省略する。
第４の実施形態による送信装置１００ｄが、第３の実施形態による送信装置１００ｃと同様の構成をとる部分については、その説明を省略する。
【００６０】
図１９は、本発明の第４の実施形態による受信装置２００ｄの構成を示す概略ブロック図である。この受信装置２００ｄは、信号処理装置３０ｄ、ＳＦＢＣ復号化部４０ｄを備えている。
また、信号処理装置３０ｄは、受信アンテナ３１ｄ、ＲＦ部３２ｄ、Ａ／Ｄ変換部３３ｄ、ＣＰ除去部３４ｄ、ＦＦＴ部３５ｄ、等化部３６ｄ、デマッピング部３７ｄを備えている。
第４の実施形態による受信装置２００ｄが、第３の実施形態による受信装置２００ｃと同様の構成をとる部分については、その説明を省略する。
【００６１】
本発明の第４の実施形態では、送信装置１００ｄにおいて、リソースエレメント（ＲＥ）に配置するデータ信号の数が異なる複数のパンクチャリングパターン０〜４のいずれかをマッピング部２１ｄが選択し、その選択したパンクチャリングパターンに基づいてリソースエレメント（ＲＥ）に配置する参照信号の送信電力をマッピング部２１ｄが増加させ、選択したパンクチャリングパターンに基づいてリソースエレメント（ＲＥ）に配置されるデータ信号と、送信電力を増加させたリソースエレメントに配置される参照信号とを受信装置２００ｄにＲＦ部２５ｄが送信するようにしたので、データ信号の情報量に応じてパンクチャリングパターンを選択することにより、送信装置１００ｄから受信装置２００ｄに対する伝送効率の低下が生じることを防ぐことができる。
【００６２】
上述した第１〜第４の実施形態では、ＯＦＤＭシンボル単位でパンクチャリングを行うことができるため、ビット誤り率に対する影響はそのままに、伝送効率はリソースブロック（ＲＢ）単位でパンクチャリングを行った場合と比較して、その低下を抑えることができる。また、工夫次第でセル干渉などの影響を抑圧することも可能である。
また、上述した第１〜第４の実施形態では、ＳＦＢＣについて示した。この場合、ＳＦＢＣペア単位（２リソースエレメント（ＲＥ）単位）でパンクチャリングの度合いを変化させた。同様の手法を用いてＳＦＢＣ＋ＦＳＴＤの場合についてもパンクチャリングをおこなうことができ、この場合ＳＦＢＣ＋ＦＳＴＤペア単位（４リソースエレメント（ＲＥ）単位）でパンクチャリングの度合いを変化させる。
【００６３】
また、上述した第１〜第４の実施形態では、ＯＦＤＭＡによる送信装置および受信装置に用いる場合について説明したが、これに限定されるものではない。
また、以上説明した第１〜第４の実施形態の送信装置や受信装置の各部の機能を実現するためのプログラムをコンピュータ読み取り可能な記録媒体に記録して、この記録媒体に記録されたプログラムをコンピュータシステムに読み込ませ、実行することにより送信装置や受信装置の制御を行っても良い。なお、ここでいう「コンピュータシステム」とは、ＯＳや周辺機器等のハードウェアを含むものとする。
【００６４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６５】
以上、この発明の実施形態について図面を参照して詳述してきたが、具体的な構成はこの実施形態に限られるものではなく、この発明の要旨を逸脱しない範囲の設計等も特許請求の範囲に含まれる。
【図面の簡単な説明】
【００６６】
【図１】本発明の第１の実施形態による通信システムの処理を示すシーケンス図である。
【図２】本発明の第１の実施形態による送信装置１００ａの構成を示す概略ブロック図である。
【図３】本発明の第１の実施形態によるＳＦＢＣ符号化部１０ａの構成を示す概略ブロック図である。
【図４】本発明の第１の実施形態で使用する送信フレームの構成の一例を示す図である。
【図５】本発明の第１の実施形態で使用するパンクチャリングパターンの一例を示す図である。
【図６】本発明の第１の実施形態によるパンクチャリングパターンの選定方法について説明するための図である。
【図７】本発明の第１の実施形態による受信装置２００ａの構成を示す概略ブロック図である。
【図８】本発明の第１の実施形態によるＳＦＢＣ復号化部４０ａの構成を示す概略ブロック図である。
【図９】本発明の第２の実施形態による通信システムの処理を示すシーケンス図である。
【図１０】本発明の第２の実施形態による送信装置１００ｂの構成を示す概略ブロック図である。
【図１１】本発明の第２の実施形態による受信装置２００ｂの構成を示す概略ブロック図である。
【図１２】本発明の第３の実施形態による送信装置１００ｃの構成を示す概略ブロック図である。
【図１３】本発明の第３の実施形態によるＳＦＢＣ符号化部１０ｃの構成を示す概略ブロック図である。
【図１４】本発明の第３の実施形態で使用するパンクチャリングパターンの一例を示す図である。
【図１５】本発明の第３の実施形態によるパンクチャリングパターンの選定方法について説明するための図である。
【図１６】本発明の第３の実施形態による受信装置２００ｃの構成を示す概略ブロック図である。
【図１７】本発明の第３の実施形態によるＳＦＢＣ復号化部４０ｃの構成を示す概略ブロック図である。
【図１８】本発明の第４の実施形態による送信装置１００ｄの構成を示す概略ブロック図である。
【図１９】本発明の第４の実施形態による受信装置２００ｄの構成を示す概略ブロック図である。
【符号の説明】
【００６７】
１０ａ〜１０ｄ・・・ＳＦＢＣ符号化部、２０ａ−１〜２０ｄ−４・・・信号処理装置、２１ａ〜２１ｄ・・・マッピング部、２２ａ〜２２ｄ・・・ｉＦＦＴ部、２３ａ〜２３ｄ・・・ＣＰ挿入部、２４ａ〜２４ｄ・・・Ｄ／Ａ変換部、２５ａ〜２５ｄ・・・ＲＦ部、２６ａ〜２６ｄ・・・送信アンテナ、３０ａ〜３０ｄ・・・信号処理装置、３１ａ〜３１ｄ・・・受信アンテナ、３２ａ〜３２ｄ・・・ＲＦ部、３３ａ〜３３ｄ・・・Ａ／Ｄ変換部、３４ａ〜３４ｄ・・・ＣＰ除去部、３５ａ〜３５ｄ・・・ＦＦＴ部、３６ａ〜３６ｄ・・・等化部、３７ａ〜３７ｄ・・・デマッピング部、４０ａ〜４０ｄ・・・ＳＦＢＣ復号化部、１００ａ〜１００ｄ・・・送信装置、２００ａ〜２００ｄ・・・受信装置
【図１】
2009111504.tif 000005
【図２】
2009111504.tif 000006
【図３】
2009111504.tif 000007
【図４】
2009111504.tif 000008
【図５】
2009111504.tif 000009
【図６】
2009111504.tif 000010
【図７】
2009111504.tif 000011
【図８】
2009111504.tif 000012
【図９】
2009111504.tif 000013
【図１０】
2009111504.tif 000014
【図１１】
2009111504.tif 000015
【図１２】
2009111504.tif 000016
【図１３】
2009111504.tif 000017
【図１４】
2009111504.tif 000018
【図１５】
2009111504.tif 000019
【図１６】
2009111504.tif 000020
【図１７】
2009111504.tif 000021
【図１８】
2009111504.tif 000022
【図１９】
2009111504.tif 000023